(57)【要約】【課題】既存のケースを使用しても共振を防止する。【解決手段】分配器１はケース下部１０とケース上部とを嵌合したケースを有しており、ケース下部１０には回路基板１１が内蔵されている。この回路基板１１上に電波吸収体３０を設けると共に、ケース上部２０の内側にも電波吸収体を設ける。これにより、ケースにおける共振を防止して分配器１の分配損失特性を良好にすることができる。【選択図】  図２
2005019496.tif 000002
【特許請求の範囲】
【請求項１】
半截されたケース状とされている導電性の上部ケース部と、
入力端子を有し、前記入力端子からの入力信号を分配する分配回路が組み込まれた回路基板を内蔵すると共に、該分配回路の分配出力がそれぞれ出力される複数の分配出力端子を有し、前記上部ケース部に嵌合されて分配器ケースを構成する導電性のケース下部とを備え、
少なくとも前記回路基板上に共振を防止するための電波吸収体が設けられていることを特徴とする分配器。
【請求項２】
前記上部ケース部の内側にも共振を防止するための電波吸収体が設けられていることを特徴とする請求項１記載の分配器。
【発明の詳細な説明】
【０００１】
【発明の属する技術分野】
本発明は、ＨＦ帯からＢＳ・ＣＳ信号までの広い周波数帯域の信号を分配することのできる分配器に関するものである。
【０００２】
【従来の技術】
従来の分配器は、複数の分配端子を備えており、入力端子から入力された入力信号を分配回路で分配して、複数の分配端子にそれぞれ出力するようにしている。このような分配器は、金属製のケースを備えており、ケースには分配回路が組み込まれた回路基板が内蔵されている。
従来の分配器１００の構成を図１７ないし図２３に示す。ただし、図１７は分配器の外観を示す平面図であり、図１８は分配器の外観を示す正面図であり、図１９は分配器の外観を示す側面図であり、図２０は分配器の外観を示す裏面図であり、図２１は分配器におけるケース下部の構成を示す平面図であり、図２２は分配器の構成を示す正面図を断面で示す図であり、図２３は分配器の構成を示す側面図を断面で示す図である。
【０００３】
これらの図に示す分配器１００は２分配器とされており、分配器１００は半截してそれぞれ構成されているケース下部１１０にケース上部１２０を嵌合して固着することにより構成された金属製のケースを有している。このケース内には分配回路が組み込まれている回路基板１１１が内蔵されている。この場合、図２１に示すように回路基板１１１はケース下部１１０に固着されてケース内に内蔵されている。ケース下部１１０の下面に設けられている入力端子１２１を介して入力された信号は回路基板１１１に導かれ分配回路により分配されて、ケース下部１１０の下面に設けられている２つの分配出力端子１１２ａ、１１２ｂから出力される。ただし、分配器１００は２分配に限るものではなく４分配や６分配でもよく、この場合にはケース下部１１０の下面に４つあるいは６つの分配出力端子が設けられて、それぞれ分配出力が出力されるようになる。なお、ケース上部１２０には分配器１００を支線等に固着するための固着用突出部１２０ａが設けられている。
【０００４】
【発明が解決しようとする課題】
ところで、最近のＣＡＴＶ信号等の分配器においては２ＧＨｚを超える高周波信号を分配することが求められている。そこで、図１７ないし図２３に示す分配器１００の分配損失の周波数特性を図２２に示す。ただし、この場合の分配器１００は２分配とされ２つの分配出力の分配損失特性が図２４に示されている。図２４を参照すると２１５０ＭＨｚ近傍と２３８０ＭＨｚ近傍において分配損失が急激に増大している。この原因は、図２２および図２３に示されているようにケース下部１１０とケース上部１２０とで構成される空間は導電体で囲まれた空間であり、この空間が空洞共振器として動作して上記周波数において共振しているものと考えられる。これを解決するには、ケース下部１１０とケース上部１２０とで構成される空間の大きさを使用周波数帯域において共振しない大きさとすればよいが、そうすると既存のケースの大きさを変更しなければならず、ケースを作成する金型等が新たに必要になってしまうと云う問題点があった。
【０００５】
そこで、本発明は、既存のケースを使用しても共振を防止することのできる分配器を提供することを目的としている。
【０００６】
【課題を解決するための手段】
上記目的を達成するために、本発明の分配器は、半截されたケース状とされている導電性の上部ケース部と、入力端子を有し、前記入力端子からの入力信号を分配する分配回路が組み込まれた回路基板を内蔵すると共に、該分配回路の分配出力がそれぞれ出力される複数の分配出力端子を有し、前記上部ケース部に嵌合されて分配器ケースを構成する導電性のケース下部とを備え、少なくとも前記回路基板上に共振を防止するための電波吸収体が設けられている。
また、本発明の分配器において、前記上部ケース部の内側にも共振を防止するための電波吸収体が設けられていてもよい。
【０００７】
本発明によれば、少なくともケースに内蔵されている回路基板上に共振を防止するための電波吸収体を設けるようにしたので、既存のケースを使用しても共振を防止して広帯域にわたり良好な分配損失特性を得ることができるようになる。この場合、ケース上部の内側に電波吸収体を設けることにより、より良好な分配損失特性を得ることができるようになる。このように、周波数帯域を高域側に広げて２ＧＨｚを超える広帯域としても既存のケースを使用することができるため、分配器のコストを低減することができるようになる。
【０００８】
【発明の実施の形態】
本発明の実施の形態の分配器の構成を図１および図２に示す。ただし、図１は本発明にかかる分配器の正面図を断面で示す図であり、図２は分配器におけるケース下部の構成を示す平面図である。なお、本発明にかかる分配器は２分配器とされており、その外観は従来と同様であり、図１７ないし図２０に示す外観と同様になる。
これらの図に示すように、本発明にかかる分配器１はそれぞれ半截されたほぼ矩形状のケース下部１０にほぼ矩形状のケース上部２０を嵌合して固着することにより構成されているケースを有している。ケース下部１０およびケース上部２０はアルミダイキャスト等の金属製とされており、このケース内には分配回路が組み込まれている回路基板１１が内蔵されている。この場合、図２に示すように回路基板１１はケース下部１０に複数のビスにより固着されてケース内に内蔵されている。回路基板１１上には分配回路を構成しているチョークコイルやセラミックコンデンサが配置されている。
【０００９】
分配器１において、図示されていないケース下部１０の下面に設けられている入力端子ＩＮを介して入力された信号は回路基板１１に導かれ分配回路により分配される。そして、分配出力はケース下部１０の下面に設けられている２つの分配出力端子１２ａ、１２ｂから出力される。なお、図１において入力端子ＩＮは分配出力端子１２ａの裏側に重なるように設けられている。回路基板１１上に組み込まれている分配回路の一例を図３に示す。２分配回路とされている分配回路において、入力端子ＩＮから入力された入力信号はコンデンサＣ１を介してトランスの一次側Ｔ１に供給される。一次側Ｔ１のセンタータップは、トランスの二次側Ｔ２のセンタータップへ接続され、二次側Ｔ２からコンデンサＣ２，Ｃ３をそれぞれ介して略均等に分配された分配出力が分配出力端子ＤＩＶ１，ＤＩＶ２から出力される。なお、入力端子ＩＮと分配出力端子ＤＩＶ１間には、直流電源を通すためのチョークコイルＣＨが接続されている。
【００１０】
分配器１は２分配に限るものではなく４分配や６分配でもよく、この場合にはケース下部１０の下面に４つあるいは６つの分配出力端子が設けられて、それぞれ分配出力が出力されるようになる。なお、ケース上部２０には分配器１を支線等に固着するための固着用突出部２０ａが設けられている。
本発明の分配器１において特徴的な構成は、図２に示すように回路基板１１上に電波吸収体３０を設けると共に、図１に示すようにケース上部２０の内側に電波吸収体４０を設けるようにした構成である。電波吸収体３０，４０を設けることにより、図２２に示すようなトラップが分配損失特性に生じることなく良好な分配損失特性を広帯域にわたり得ることができるようになる。
【００１１】
ケース下部１０およびケース上部２０からなるケース内に電波吸収体を設けることによる作用を図４ないし図１６を参照して説明する。
図５に示す分配損失の周波数特性は、図４に示すように回路基板１１における部品が配置されていない部分に細長い矩形状の電波吸収体３０を貼着し、ケース上部２０には電波吸収体を設けない場合の分配器２における分配損失特性である。ただし、この場合の分配器２は２分配とされ２つの分配出力の分配損失特性が図５に示されている。電波吸収体３０は、例えばフェライト粉をエラストマーに混入して成形したある程度の柔軟性のある板状とされており、両面接着剤により回路基板１１に貼着されている。この場合の電波吸収体３０の回路基板１１に対する面積割合は約１０％とされている。図５を参照すると、２１５０ＭＨｚ近傍と２３８０ＭＨｚ近傍において分配損失が増大することなく分配器２において良好な分配損失特性が得られている。
【００１２】
図７に示す分配損失の周波数特性は、図６に示すように回路基板１１における部品が配置されていない部分にやや幅を広くした細長い矩形状の電波吸収体３１を貼着し、ケース上部２０には電波吸収体を設けない場合の分配器３における分配損失特性である。ただし、この場合の分配器３は２分配とされ２つの分配出力の分配損失特性が図７に示されている。電波吸収体３１は、例えばフェライト粉をエラストマーに混入して成形したある程度の柔軟性のある板状とされており、両面接着剤により回路基板１１に貼着されている。この場合の電波吸収体３１の回路基板１１に対する面積割合は約１７％とされている。図７を参照すると、図５に示す分配損失特性と同様に２１５０ＭＨｚ近傍と２３８０ＭＨｚ近傍において分配損失が増大することなく分配器３において良好な分配損失特性が得られている。
【００１３】
図９に示す分配損失の周波数特性は、図８に示すように回路基板１１における部品が配置されていない部分にやや幅を広くした細長い矩形状の電波吸収体３１と、その両側に小さな面積の矩形状の１対の電波吸収体３２を貼着し、ケース上部２０には電波吸収体を設けない場合の分配器４における分配損失特性である。ただし、この場合の分配器４は２分配とされ２つの分配出力の分配損失特性が図９に示されている。電波吸収体３１および電波吸収体３２は、例えばフェライト粉をエラストマーに混入して成形したある程度の柔軟性のある板状とされており、両面接着剤により回路基板１１に貼着されている。この場合の電波吸収体３１と電波吸収体３２とを合わせた回路基板１１に対する面積割合は約２７％とされている。図９を参照すると、図５に示す分配損失特性と同様に２１５０ＭＨｚ近傍と２３８０ＭＨｚ近傍において分配損失が増大することなく分配器４において良好な分配損失特性が得られている。
【００１４】
また、図１０に示す分配損失の周波数特性は、分配器からケース上部２０を取り去ってケース下部１０のみとした際の分配損失特性である。ケースは開放されていることからケース下部１０における回路基板１１上には電波吸収体を設けていないが、理想的な分配損失特性が得られている。しかし、ケース上部２０を取り去った分配器は実用とすることはできないので、対比のためにのみ図１０に示す分配損失特性を上げている。ただし、この場合の分配器は２分配とされ２つの分配出力の分配損失特性が図１０に示されている。
ここで、図５，図７，図９に示す分配損失特性を参照すると、電波吸収体の面積の大きさにかかわらず同様の特性とされている。そして、図５，図７，図９に示す分配損失特性と図１０に示す分配損失特性とを対比すると、２．５ＧＨｚを超えるようになると若干損失が増加しているものの、両者はほとんどの周波数帯域において同様の分配損失特性とされている。このことから、本発明の分配器は回路基板１１に図４に示すようなに細長い矩形状の電波吸収体３０を貼着すれば、使用周波数帯域における共振を防止することができるようになることがわかる。すなわち、ケース上部２０における電波吸収体３０を省略した分配器２としてもよい。
【００１５】
次に、図１２に示す分配損失の周波数特性は、図１１に示すようにケース上部２０の内側に幅の狭い細長い矩形状の電波吸収体４０を貼着し、ケース下部１０の回路基板１１には電波吸収体を設けない場合の分配器５における分配損失特性である。ただし、この場合の分配器５は２分配とされ２つの分配出力の分配損失特性が図１２に示されている。電波吸収体４０は、例えばフェライト粉をエラストマーに混入して成形したある程度の柔軟性のある板状とされており、両面接着剤によりケース上部２０の内側に貼着されている。この場合の電波吸収体４０の回路基板１１に対する面積割合は約６％とされている。図１２を参照すると、１７５０ＭＨｚ近傍と２２５０ＭＨｚ近傍において分配損失がやや増大しているが、そのトラップの落ち込み量は２２５０ＭＨｚにおいても約０．５ｄＢの小さい量とされている。すなわち、ケース上部２０に電波吸収体を設けた場合は、回路基板１１上に電波吸収体を設ける場合よりは効果が少ないものの、共振を防止する作用を奏していることがわかる。
【００１６】
図１４に示す分配損失の周波数特性は、図１３に示すようにケース上部２０の内側にやや幅を広くした細長い矩形状の電波吸収体４１を貼着し、ケース下部１０の回路基板１１には電波吸収体を設けない場合の分配器６における分配損失特性である。ただし、この場合の分配器６は２分配とされ２つの分配出力の分配損失特性が図１４に示されている。電波吸収体４１は、例えばフェライト粉をエラストマーに混入して成形したある程度の柔軟性のある板状とされており、両面接着剤によりケース上部２０の内側に貼着されている。この場合の電波吸収体４１の回路基板１１に対する面積割合は約１７％とされている。図１４を参照すると、２１００ＭＨｚ近傍と２３００ＭＨｚ近傍において分配損失がやや増大しているが、その落ち込み量の大きい２３００ＭＨｚ近傍のトラップにおいてもわずか約０．３ｄＢとされている。このように、ケース上部２０に電波吸収体を設けると、効果が少ないものの共振を防止する作用を奏していることがわかる。
【００１７】
図１６に示す分配損失の周波数特性は、図１５に示すようにケース上部２０の内側にやや幅を広くすると共に長さを長くした細長い矩形状の電波吸収体４２を貼着し、ケース下部１０の回路基板１１には電波吸収体を設けない場合の分配器７における分配損失特性である。ただし、この場合の分配器７は２分配とされ２つの分配出力の分配損失特性が図１６に示されている。電波吸収体４２は、例えばフェライト粉をエラストマーに混入して成形したある程度の柔軟性のある板状とされており、両面接着剤によりケース上部２０の内側に貼着されている。この場合の電波吸収体４２の回路基板１１に対する面積割合は約３０％とされている。図１６を参照すると、２２００ＭＨｚ近傍において分配損失がやや増大しているが、そのトラップの落ち込み量はわずか約０．２ｄＢとされている。このように、ケース上部２０に電波吸収体を設けた場合は、それなりに共振を防止する作用を奏することができるが、貼着する電波吸収体の面積を増大しても分配損失特性は面積に比例して改善されないことがわかる。
【００１８】
以上のような理由から、本発明にかかる分配器１は図１および図２に示すように回路基板１１上に図４に示す大きさの電波吸収体３０を設けると共に、ケース上部２０の内側に図１１に示す大きさの電波吸収体４０を設けるようにしている。しかし、本発明の分配器は上記した構成に限るものではなく、ケース上部２０には電波吸収体を設けることなくケース下部１０の回路基板１１にだけ電波吸収体を設けるようにしてもよい。さらに、図１および図２に示す電波吸収体３０および電波吸収体４０の面積をより大きくするようにしてもよい。
【００１９】
以上の説明ではケース下部１０とケース上部２０とからなるケース内に電波吸収体を設けるようにしたが、これに替えて接着剤や塗料にフェライト粉を混入してケース下部１０やケース上部２０に塗布するようにしてもよい。また、樹脂材にフェライト粉を混入して成形することにより、電波吸収作用を有するケース下部とケース上部としてもよい。なお、以上の説明では分配器としたが、分配器に替えて信号の一部を分岐する分岐器としてもよい。具体的には分岐器のケースに内蔵されている分岐回路が組まれている回路基板上に共振を防止するための電波吸収体を設けることにより、分岐器において既存のケースを使用しても共振を防止して広帯域にわたり良好な分配損失特性を得ることができるようになる。また、分岐器のケース上部の内側に電波吸収体を設けることにより、より良好な分配損失特性を得ることができるようになる。
【００２０】
【発明の効果】
上記したように本発明の分配器は、少なくともケースに内蔵されている回路基板上に共振を防止するための電波吸収体を設けるようにしたので、既存のケースを使用しても共振を防止して広帯域にわたり良好な分配損失特性を得ることができるようになる。この場合、ケース上部の内側に電波吸収体を設けることにより、より良好な分配損失特性を得ることができるようになる。このように、周波数帯域を高域側に広げて２ＧＨｚを超える広帯域としても既存のケースを使用することができるため、分配器のコストを低減することができるようになる。
【図面の簡単な説明】
【図１】本発明の実施の形態の分配器の構成を示す正面図を断面で示す図である。
【図２】本発明の実施の形態の分配器の構成を示す平面図である。
【図３】本発明の実施の形態の分配器における分配回路の一例を示す回路図である。
【図４】ケース下部の回路基板にだけ所定の大きさの電波吸収体を設けるようにした分配器の構成を示す平面図である。
【図５】図４に示す分配器における分配損失の周波数特性を示す図である。
【図６】ケース下部の回路基板にだけより大きい所定の大きさの電波吸収体を設けるようにした分配器の構成を示す平面図である。
【図７】図６に示す分配器における分配損失の周波数特性を示す図である。
【図８】ケース下部の回路基板にだけ所定の大きさの電波吸収体を複数設けるようにした分配器の構成を示す平面図である。
【図９】図８に示す分配器における分配損失の周波数特性を示す図である。
【図１０】分配器のケース下部からケース上部を取り去った場合における分配損失の周波数特性を示す図である。
【図１１】ケース上部にだけ所定の大きさの電波吸収体を設けるようにした分配器の構成を示す平面図である。
【図１２】図１１に示す分配器における分配損失の周波数特性を示す図である。
【図１３】ケース上部にだけより大きくした所定の大きさの電波吸収体を設けるようにした分配器の構成を示す平面図である。
【図１４】図１３に示す分配器における分配損失の周波数特性を示す図である。
【図１５】ケース上部にだけさらに大きくした所定の大きさの電波吸収体を設けるようにした分配器の構成を示す平面図である。
【図１６】図１５に示す分配器における分配損失の周波数特性を示す図である。
【図１７】従来の分配器の外観を示す平面図である。
【図１８】従来の分配器の外観を示す正面図である。
【図１９】従来の分配器の外観を示す側面図である。
【図２０】従来の分配器の外観を示す裏面図である。
【図２１】従来の分配器におけるケース下部の構成を示す平面図である。
【図２２】従来の分配器における構成を示す正面図を断面で示す図である。
【図２３】従来の分配器における構成を示す側面図を断面で示す図である。
【図２４】従来の分配器における分配損失特性の周波数特性を示す図である。
【符号の説明】
１  分配器、２  分配器、３  分配器、４  分配器、５  分配器、６  分配器、７  分配器、１０  ケース下部、１１  回路基板、１２ａ，１２ｂ，１２ｃ，１２ｄ  分配出力端子、２０  ケース上部、２０ａ  固着用突出部、３０  電波吸収体、３１  電波吸収体、３２  電波吸収体、４０  電波吸収体、４１  電波吸収体、４２  電波吸収体、１００  分配器、１１０  ケース下部、１１１  回路基板、１１２ａ  分配出力端子、１２０  ケース上部、１２０ａ  固着用突出部、１２１  入力端子、Ｃ１，Ｃ２，Ｃ３  コンデンサ、ＣＨ  チョークコイル、ＩＮ  入力端子、ＤＩＶ１，ＤＩＶ２  分配出力端子
【図１】
2005019496.tif 000003
【図２】
2005019496.tif 000004
【図３】
2005019496.tif 000005
【図４】
2005019496.tif 000006
【図５】
2005019496.tif 000007
【図６】
2005019496.tif 000008
【図７】
2005019496.tif 000009
【図８】
2005019496.tif 000010
【図９】
2005019496.tif 000011
【図１０】
2005019496.tif 000012
【図１１】
2005019496.tif 000013
【図１２】
2005019496.tif 000014
【図１３】
2005019496.tif 000015
【図１４】
2005019496.tif 000016
【図１５】
2005019496.tif 000017
【図１６】
2005019496.tif 000018
【図１７】
2005019496.tif 000019
【図１８】
2005019496.tif 000020
【図１９】
2005019496.tif 000021
【図２０】
2005019496.tif 000022
【図２１】
2005019496.tif 000023
【図２２】
2005019496.tif 000024
【図２３】
2005019496.tif 000025
【図２４】
2005019496.tif 000026